(57)【要約】【課題】設備機器付き門扉の防水性及び意匠性の向上を図る。【解決手段】左右の側柱２０、２０と、該側柱２０、２０間に間隔を隔てて配置した敷板２６と、前記左右の側柱２０、２０の正面を覆う正面パネル１０と、背面を覆う背面パネルとからなり、内部に前記敷板２６で区画された設備機器収容空間を備えた設備機器付き門柱１とし、各設備機器（照明、インターホン、郵便ボックス等）を前記側柱２０、２０側に取り付ける。前記正面パネル１０は、前記各設備機器に対応した開口を備えた平坦な保護カバーとして形成され、かつ前記側柱の端面との間に排水のための間隙を形成している。【選択図】        図１
2007217888.tif 000002
【特許請求の範囲】
【請求項１】
左右の側柱と、該側柱間に間隔を隔てて配置した敷板と、前記左右の側柱の正面側に設けた正面パネルと、前記左右の側柱の背面側に設けた背面パネルとからなり、内部に前記敷板で区画された設備機器収容空間を備えた設備機器付き門柱において、
前記設備機器を前記側柱および／または前記敷板に取り付けるともに、前記正面パネル前面部は開口を備えた平坦面に形成されていることを特徴とする設備機器付き門柱。
【請求項２】
請求項１に記載された設備機器付き門柱において、
前記正面パネルは、前記前面部と、係合部を有する背面部と、これらを繋ぐ側面部とを備えており、
側柱正面側に設けた被係合部に対して前記係合部を係合することを特徴とする設備機器付き門柱。  
【請求項３】
請求項１または２に記載された設備機器付き門柱において、
前記正面パネルは、正面パネル前面部と前記側柱の正面側端面との間に空隙を介在させて前記側柱に取り付けられていることを特徴とする設備機器付き門柱。
【請求項４】
請求項３に記載された設備機器付き門柱において、
前記設備機器収容空間の一つは郵便ボックスであり、前記正面パネルの前面部には前記郵便ボックスと対向した位置に郵便物投入口が設けられ、前記郵便受けと前記郵便物投入口との間の郵便物通過空間は前記空隙と隔離されていることを特徴とする設備機器付き門柱。  
【請求項５】
請求項４に記載された設備機器付き門柱において、
前記郵便物通過空間は、上部に上板、左右に縦板を設けることで前記空隙と隔離しており、下部には水切り板を設けて前記空隙へ排水できるようにしたことを特徴とする設備機器付き門柱。
【発明の詳細な説明】
【技術分野】
【０００１】
本発明は門柱、例えばインターホンや郵便ボックス等の設備機器を備えた門柱に関するものである。
【背景技術】
【０００２】
照明や郵便受け、インターホンや郵便ボックス等の設備機器を門の近傍にバラバラに備えるのではなく、これらを一箇所にまとめて門柱に配置した設備機器付き門柱が使用されている。
この設備機器付き門柱として、門柱の内部にこれらの機器を収納する空間（スペース）を確保するため内部を空洞にした構造、例えば、４本の側柱を連結金具で連結した後、側柱を接地面上に立設し、隣り合う側柱にパネルを取り付けかつ上端開口部にキャップを取り付けたものが知られている（特許文献１参照）。
【０００３】
この従来の門柱では、正面パネルにインターホン配線口と郵便受け口とが貫通形成され、かつ正面パネルの上にインターホン取付台座と郵便受け口金部とが一体に形成された口金カバーを取り付け、さらに門柱の内部には、インターホン配線口と郵便受け口との間および取出口の少し下に、それぞれ上下の仕切り板を取り付け、この上下の仕切り板の間に郵便受け（郵便ボックス）が形成されている。
また、インターホンの取付台座にはインターホンを取り付け、そのコードをパネルのインターホン配線口を通して門柱の内部に配置し、さらに、表札は正面パネルに表札台座をネジ止めし、その上に表札を接着等によって固定している。
【０００４】
この設備機器付き門柱は、正面パネルの上に各設備機器を取り付けるための取付台座や口金カバーを取り付ける構造であるため、例えばインターホンを取り付ける場合、それを正面パネルに取り付ける必要があり、その配線作業などを考慮するとその取り付け作業は繁雑で容易ではない。また、特許文献１に記載された門柱は、口金カバーから雨水等が侵入するとそのまま門柱内に流れ込むため、防水対策が必ずしも十分とは云えず、更に、門柱は一般に建物の正面に置かれることが多いためその意匠性も問題になるが、前記従来の門柱では、その正面は凹凸状でスッキリした外観とはならず意匠性の面からみても課題を残している。
【特許文献１】特開平１０−１９６２５７号公報
【発明の開示】
【発明が解決しようとする課題】
【０００５】
本発明は、従来の門柱の上記問題を解決すべくなされたものであって、その目的は、門扉を設備機器を容易に取り付け易い構造にして取付作業性を向上し、同時に意匠性を向上させることである。
【課題を解決するための手段】
【０００６】
請求項１の発明は、左右の側柱と、該側柱間に間隔を隔てて配置した敷板と、前記左右の側柱の正面側に設けた正面パネルと、前記左右の側柱の背面側に設けた背面パネルとからなり、内部に前記敷板で区画された設備機器収容空間を備えた設備機器付き門柱において、前記設備機器を前記側柱および／または前記敷板に取り付けるともに、前記正面パネル前面部は開口を備えた平坦面に形成されていることを特徴とする。
【発明の効果】
【０００７】
本発明によれば、設備機器を門柱の側柱側に取り付けるため、正面パネルを外した状態で取り付けることができるから、取り付け易く、従来のものに比してその作業性が向上した。また、正面パネルは、平坦な面に単に開口を設けた構成であるから、設備機器付き門柱の意匠性が向上し門柱の商品性を高めることができる。
【発明を実施するための最良の形態】
【０００８】
図１は、本発明の実施形態に係る門柱の分解斜視図である。  
門柱１は、それぞれ例えば押出成形されたアルミニウム合金でできた正面パネル１０と、正面パネル１０の両側に配置される左右の側柱２０、２０と、左右の側柱２０、２０に対して正面パネル１０の反対側（後側又は背面側）に配置される背面パネル２２（図４参照）とからなり、左右の側柱２０、２０の正面側に正面パネル１０が、また左右の側柱２０、２０の背面側両端部に背面パネル２２が連結される。また、これら左右の側柱２０、２０及び各パネルで囲まれた断面略矩形の内部空間には、敷板２６（２６（１）〜２６（３））が間隔を隔てて複数枚（図示例では３枚）取り付けられている。
【０００９】
正面パネル１０は平坦な正面１０ａと、正面１０ａの端部を略直角に折り曲げた折曲片１０ｂと、この折曲片１０ｂの自由端部を更に正面１０ａと平行に折り曲げた側柱２０，２０前面への取付片１０ｃとからなり、正面１０ａには上端から順に表札用の開口１２、インターホン用開口１４、郵便物等の投入口１６が設けられている。
正面パネル１０は、例えば塗装やメッキ、アルマイト等により正面処理された化粧板に仕上げられている。
【００１０】
側柱２０、２０は、例えば、後述の図６に示すように、それぞれ前側に配置される第１の側柱２０（１）と後側に配置される第２の側柱２０（２）の二つの側柱から成り、両者はそのいずれか（図示例では第１の側柱２０（１）側）に一体に形成された細長い板状の接合部２０ｄを介してネジで接合されている。第１の側柱２０（１）は、正面側に正面パネル１０の左右の取付片１０ｃに対応するフランジ２０ａを、また背面側には第２の側柱２０（２）と接合するための接合部を有し、かつ好ましくは内側面２０（１）ａと外側面２０（１）ｂ、及びこれら両側面を区画する縦仕切片２０（１）ｃを一体に形成し、上下端の開放したホロー（中空）構造からなっている。第２の側柱２０（２）は、前方には第１の側柱２０（１）に係合する接合部を、また背面側には背面パネル２２の取付片となる端部を有した、好ましくは内側面２０（２）ａと外側面２０（２）ｂ、及び両側面を仕切る仕切片２０（２）ｃを、例えば押出成形により一体に形成したホロー構造からなっている。
正面パネル１０は、背面側の取付片１０ｃで側柱に２０、２０にネジ止めされるが、正面パネル１０側からは取り付けネジは見えないから見た目が良く意匠性に優れている。
【００１１】
再び図１において、正面パネル１０の表札用開口１２に対応して、左右の側柱２０、２０間には、この表札を照らす照明機具例えば電球用ソケットを備えた敷板２６（１）が取り付けられている。ここで、表札は例えばアクリル樹脂等の光透過性の合成樹脂材料で形成し、これを例えば両面テープやネジなどの適当な取付手段で、前記表札用開口１２の周りに取り付ける。表札は、夜間、ライトを点灯することで文字が浮かび上がって見える。
【００１２】
表札用開口１２の下側でかつ側柱２０、２０の正面側のフランジ部分２０ａ間には、図２に拡大して示すインターホン取付金具３０がネジ止めなどの適当な手段で取り付けられる。
【００１３】
インターホン取付金具３０は、図示のように、平坦なインターホン取付面３２ａとその上下端部に形成された断面Ｌ字型の取付片３２ｂ、及び下端部の前記取付片３２ｂの下端から折り返して前方にやや下降状に延在する水切り片３２ｃとからなっており、インターホン取付面３２ａにはインターホンの放熱等のための開口３４が形成されている。
なお、水切り片３２ｃはインターホン取付金具３０と別体に形成してもよい。
【００１４】
このインターホン取付金具３０の前記取付片３２ｂの前後方向の長さ又は厚さは、取り付けるインターホン３５の厚さが種類によって異なるため、その厚さに応じて異なる寸法のものを用意しておくことが好ましい。
また、前記水切り片３２ｃは、インターホン用開口１４から侵入する雨水などを一旦受け止めて、これを正面パネル１０の背面と側柱２０、２０の前端部つまりフランジ部分２０ａ間に形成される間隙Ｓ（図３Ａ、Ｂ参照）、即ち、正面パネル１０を側柱２０，２０前端部間に取り付けたときに、正面パネル１０の折曲片１０ｂの前後方向の長さに略等しい間隔を有し門柱の上下方向に連続して形成される間隙Ｓの前面側に導くためのものであって、これにより、雨水等が門柱の側柱２０、２０間に形成される空間に侵入することが防止される。
【００１５】
図３Ａは、インターホン取付金具３０を側柱２０、２０のフランジ部分２０ａにネジ止め等の適当な手段で取り付け、この取付金具３０にインターホン３５を取り付けた状態を示す縦断面図である。また、図３Ｂは、同横断面図である。
図示のように、インターホン３５の正面はインターホン用開口１４に対向配置される。また、その配線（図示せず）は側柱２０，２０のホロー部Ｈに配置したＣＤ管２５（図３Ｂ）を通して行う。
【００１６】
図４は、本実施形態に係る門柱１の一方の側柱２０を除去して門柱１の内部をやや背面側上方から見た斜視図である。
背面パネル２２は、図示のように、正面パネル１０と同様に細長い板状体で構成されている。ただこの実施形態では、門柱１の上からインターホン取付領域の背面側部分までを覆うように、その縦方向の長さは正面パネル１０よりも短く形成されている。
正面パネル１０の前記郵便物等の投入口１６の内側に設けた郵便物等の収容部（郵便ボックス）の背面側には、つまみ２４ａ付きの受扉２３ａが一方の側柱２０、２０の後端部に開閉自在に取り付けられている。また、その下側には、門柱１内に設置するコンセントなどの電源ユニット等（図示せず）の点検等を行うため、同様に一側端を一方の側柱２０、２０の後端部にヒンジ止めしたつまみ２４ｂ付き扉２３ｂが開閉自在に取り付けられている。
【００１７】
郵便物等の投入口１６は、例えばＡ４の封筒が投入可能な縦寸法と、投入された郵便物等が投入口１６を通して引き出されないように、人間の手が入らないような幅を持った細長い開口として形成されている。
図中、上側の敷板２６（２）と下側の敷板２６（３）との間の空間は、郵便物等を収納しておくいわゆる郵便ボックスを構成している。この郵便ボックスの底板となる敷板２６（３）は、その投入口１６側の端部が上方に折り返した起立片２６ａ（１）に形成され、かつその起立片２６ａ（１）の上端は前記投入口１６の下端部近傍に達すると共に、その起立片２６ａ（１）の上端から更に斜め下方に折り返した水切り板２６ａ（２）が一体（又は別体でもよい）に形成されている。
【００１８】
ここで、水切り板２６ａ（２）は、前記インターホン取付金具３０の水切り片３２ｃと同様に前記投入口１６を通して侵入する雨水や、上部のインターホン用開口１４から侵入して落下してきた雨水等を受けて正面パネル１０側に流下させ、正面パネル１０との隙間や水切り板２６ａ（２）の両側端と正面パネル１０の側面（折曲片）１０ｂとの間から地面に落下させるよう働く。また、後述するように、一対の断面Ｌ字状の隔壁を図５Ａ、５Ｂに示すように設ける等して、投入口から郵便ボックスまでの郵便物通過空間を間隙Ｓから隔離することで一層水が浸入し難くすることができる。
従って、前記投入口１６等から門柱１内に水が侵入しても前記郵便ボックス内には流入し難い。
なお、門柱１の前記郵便ボックスの下側には、図示しない例えば電源ユニット、電気或いはガスメータ等を収納するための空間が形成されている。
【００１９】
図５Ａは門柱の要部の縦断面図及び図５Ｂは図５Ａの線Ａ−Ａに沿った断面図である。これらの図から明らかなように、郵便物等の投入口１６から郵便ボックスに至る郵便物通過空間は、上部に上板（ここでは水切り片３２Ｃが上板を兼ねているが、別途設けることも可能である）、左右に一対の断面Ｌ字状の隔壁を構成する縦板３６を水切り板２６ａ（２）の両側に密着して又は密着せずに設けることで前記空隙Ｓから隔離されるが、他方、前記投入口１６から侵入した水は、水切り板２６ａ（２）により前記空隙Ｓへ排水できるようになっている。
また、本実施形態に係る設備機器付き門柱１は、その背面側に取り付けた受扉２３ａ、２３ｂの上端部からの雨水等の水の侵入を防止するための水密構造を備えている。
図５Ｃは、図５Ａの領域Ｔ部分の拡大図である。図示のように受扉２３ａの上端部には、その幅方向にシール（エアタイト）材ＡＴが背面パネル２２の下端の幅方向に延びたチャンネル２２ｃに取り付けられており、シール材ＡＴの下端は受扉２３ａの上端部を封止して水の侵入を防止している。
【００２０】
次に、門柱１の組立手順について説明する。
図６は、敷板（ここでは最上部の敷板２６（１））の取付を説明するための斜視図である。
まず、側柱２０、２０間（一方のみを示す）に敷板２６（１）を取り付け、左右の側柱２０、２０を敷板２６（１）により連結する。
このように連結した側柱２０、２０は、自立性があるので、これを予め基礎工事を行った地盤の上に立設し、回りから例えばコンクリートや土砂を流し込み下部を地中に埋設する。
【００２１】
ここで、敷板２６（１）を側柱２０、２０に取り付けるには、図６に示すように、側柱２０、２０に前以ってボルトＢ１を仮固定しておき、そのボルトＢ１の軸部分を敷板の切欠部分２６ａに入れ込み、レンチで固定して連結する。他の敷板２６（２）、２６（３）についても同様に取り付ける。
続いて、最上部の敷板２６（１）に設けたソケットに電球などの照明器具を取り付け、側柱２０、２０の前記フランジ２０ａにインターホンの取付金具３０を介してインターホン３５を取り付け、これらに必要な電気配線工事を行う。電気配線は、既に図３Ｂに関連して説明したように側柱２０、２０のホローＨ内に配置したＣＤ管２５を用いて行う。
【００２２】
図７は正面パネルと側柱との取り付け構造を説明する図であり、図７Ａは正面パネル側の取り付け構造を、また、図７Ｂは側柱側の取り付け構造を示す斜視図である。
図７Ａに示すように、正面パネル１０の前記取付片１０ｃには、縦長の直線溝Ｇ１の下端にこの溝Ｇ１よりも径大な円形溝Ｇ２を備えた溝Ｇが形成されており、他方、側柱２０、２０の前記フランジ部分２０ａには、図７Ｂに示すように、例えばボルトＢ２を浅く螺合させてある（なお、ボルトＢ２に代えて頭付き支持杆を植設したものでもよい）。
【００２３】
ここで、正面パネル１０を持ち上げて、その溝Ｇの前記円形溝Ｇ２を側柱２０、２０のフランジ部２０ａに取り付けたボルトＢ２の頭に合わせて挿入する。挿入後に正面パネル１０を下降させると、ボルトＢ２の軸部分が前記縦長の直線溝Ｇ１を摺動し、その直線溝Ｇ１の上端に当たって停止する。この状態で正面パネル１０と側柱２０、２０が接続される。
その後、側柱２０、２０の前記フランジ部２０ａ背面側から正面パネル１０の取付片１０ｃの背面に対して適宜ネジ止めすることで、正面パネル１０と側柱２０、２０とが連結固定される。
【００２４】
次に、このように連結された側柱２０、２０の背面側端部に横材４０を取り付けて側柱２０、２０同士の接続を補強する。即ち、図８Ａは、側柱２０、２０の後端部への横材４０の取り付けを説明する斜視図であり、図８Ｂは、背面パネル及び受扉の取り付けを示す斜視図である。
図８Ａに示すように、横材４０は、両側柱２０、２０の後端部から後部側に突出しないようにして前記後端部間を連結する。
続いて、図８Ｂに示すように、両側柱２０、２０の背面側端部間に背面パネル２２を取り付ける。この背面パネル２２は、門柱１の上端からインターホン収容部までの区域を覆うように形成されており、正面パネル１０よりも縦方向の長さが短く形成されている。
【００２５】
この背面パネル２２の下側には、前記郵便ボックスに対応して、その背面扉となる受扉２３ａ及びその下側に電源ユニット等の下部収容部の扉（図示せず）をそれぞれ一方の側柱２０の背面側端部に開閉可能に取り付け、さらにこのように組み立てた門柱上にキャップ（図示せず）を取り付けて組立を終了する。
【００２６】
本実施形態においては、正面パネル１０は、以上のように側柱２０、２０のフランジ部２０ａに溝Ｇ及びボルトＧ２を係合させて取り付けられるため、例えば、門柱１に収容した設備機器の保守、補修或いは取り替えなどのために正面パネル１０を外す場合は、正面パネル１０と側柱２０、２０とのネジ係合を外したのち、正面パネル１０を単に持ち上げるだけで簡単に外すことが出来る。また、正面パネル１０の正面は、突出部がないため見栄えがよく、かつ正面開口から浸入した雨水等が門扉内部領域にまで浸入することがなく、内部機器や郵便ボックス内の書類等を濡らすおそれがない。
【図面の簡単な説明】
【００２７】
【図１】本発明の実施形態に係る門柱の分解斜視図である。
【図２】インターホン取付金具の斜視図である。
【図３】インターホンを側柱に取り付けた状態を示し、図３Ａは、インターホン取付金具にインターホンを取付けた状態を示す縦断面図、また、図３Ｂは、同横断面図である。
【図４】門柱の一方の側柱を除去して門柱の内部をやや背面側から見た斜視図である。
【図５】５Ａは、門柱の要部の縦断面図であり、５Ｂは、図５Ａの線Ａ−Ａに沿った断面図、図５Ｃは受扉の防水構造を示す図５Ａの一部拡大図である。
【図６】側柱と敷板との連結部分を拡大した斜視図である。
【図７】正面パネルと側柱との取り付け構造を説明する図であり、図７Ａは正面パネル側の取り付け構造を、また、図７Ｂは側柱側の取り付け構造を示す斜視図である。
【図８】図８Ａは正面パネルの折り返し片を示す斜視図であり、また、図８Ｂは側柱の前記フランジ部の斜視図である。
【符号の説明】
【００２８】
１・・・門柱、１０・・・正面パネル、１２・・・表札用開口、１４・・・インターホン用開口、１６・・・郵便物等の投入口、２０・・・側柱、２２・・・背面パネル、２５・・・ＣＤ管、２６・・・敷板、３０・・・インターホン取付金具、３５・・・インターホン、３６・・・縦板。
【図１】
2007217888.tif 000003
【図２】
2007217888.tif 000004
【図３】
2007217888.tif 000005
【図４】
2007217888.tif 000006
【図５】
2007217888.tif 000007
【図６】
2007217888.tif 000008
【図７】
2007217888.tif 000009
【図８】
2007217888.tif 000010